(57)【要約】【課題】汎用性が低いことと、作業効率の低下を解決すること。【解決手段】本発明のオイルフィルター用工具は、オイルフィルターの端部に装着されるカップ型オイルフィルターレンチの外形よりも大きい開口部１ａを有する容器１と、容器１内から当該容器１の開口部１ａよりも上方に突出するよう延び、その突出端にカップ型オイルフィルターレンチを回転させるよう当該カップ型オイルフィルターレンチに連結される連結部３１ａを有する軸部材３１と、容器１の下方に設けられ、軸部材３１と連結して当該軸部材を回転させるよう操作可能なハンドル部３と、を備える。【選択図】図１Ａ
2019210839.tif 000002
【特許請求の範囲】
【請求項１】
オイルフィルターの端部に装着されるカップ型オイルフィルターレンチの外形よりも大きい開口部を有する容器と、
前記容器内から当該容器の前記開口部よりも上方に突出するよう延び、その突出端に前記カップ型オイルフィルターレンチを回転させるよう当該カップ型オイルフィルターレンチに連結される連結部を有する軸部材と、
前記容器の下方に設けられ、前記軸部材と連結して当該軸部材を回転させるよう操作可能なハンドル部と、
を備えたオイルフィルター用工具。
【請求項２】
請求項１に記載のオイルフィルター用工具であって、
前記軸部材と前記ハンドル部とは、当該ハンドル部の回転を前記軸部材に伝達するよう連結しており、
前記軸部材は、前記容器に対して回転可能に装備されている、
オイルフィルター用工具。
【請求項３】
請求項２に記載のオイルフィルター用工具であって、
前記容器内から上方に延び、前記軸部材が内部に挿通されて当該軸部材の周囲を囲うと共に、当該軸部材の前記連結部を上端から突出させる筒状の軸パイプと、
前記軸パイプの上端に、前記軸部材の前記連結部を上方に突出させると共に、前記軸パイプと前記軸部材との隙間を塞ぐよう装備されるパイプカバーと、を備えた、
オイルフィルター用工具。
【請求項４】
請求項１乃至３のいずれかに記載のオイルフィルター用工具であって、
前記軸部材は、前記容器を貫通して当該容器の下方側にも延びて形成され、
前記容器と前記ハンドル部との間に、前記軸部材の外周から外側に向かって突出して、前記容器の底面の外表面に対向する面を形成する突出面を備えた、
オイルフィルター用工具。
【請求項５】
請求項１乃至４のいずれかに記載のオイルフィルター用工具であって、
前記ハンドル部は、前記軸部材に対して非平行に延びる少なくとも２本のレバー部を備えた、
オイルフィルター用工具。
【請求項６】
請求項１乃至５のいずれかに記載のオイルフィルター用工具であって、
前記ハンドル部は、前記容器の前記開口部が形成する開口面が水平状態となるよう所定の水平面に対して前記オイルフィルター用工具自体を立てて支持するスタンド部を備えた、
オイルフィルター用工具。
【請求項７】
請求項１乃至６のいずれかに記載のオイルフィルター用工具であって、
前記容器の外側面に取っ手を設けた、
オイルフィルター用工具。
【発明の詳細な説明】
【技術分野】
【０００１】
本発明は、オイルフィルターを着脱する際に使用するオイルフィルター用工具に関する。
【背景技術】
【０００２】
オイルフィルターは、エンジンルーム内のエンジンブロックに装着され、潤滑油類の不純物等を濾過除去し、エンジンのスムーズな作動を助ける働きをするものである。このため、オイルフィルターを交換することは重要で必須な作業となる。そして、オイルフルターが円筒形状である場合には、当該オイルフィルターの端部付近の外周に嵌め合わされるよう、内側面が多角形に形成されたカップ式オイルフィルターレンチを用いて、当該オイルフィルターの着脱を行う。
【０００３】
ここで、オイルフィルターには、エンジンブロックに垂直状態で装着されているものがある。この場合、オイルフィルターの取り外し作業を行う作業者は、オイルフィルターの下方側からカップ式オイルフィルターレンチを嵌め合わせて回転させることで、オイルフィルターを取り外すことができる。
【０００４】
ところが、上述したように垂直状態で装着されているオイルフィルターの場合、回転させて装着状態を緩めた際に、及び、取り付け部分の螺合が解けた際に、オイルが漏れる。すると、オイルフィルターの下方で作業を行っている作業者の手や衣服等にオイルがかかってしまい、作業の妨げとなり、オイルが高温の場合には作業者が火傷をする場合がある、という問題が生じる。
【０００５】
ここで、上述した問題を解決するためのオイルフィルター交換用工具が、特許文献１に開示されている。このオイルフィルター交換用工具は、カップ式オイルフィルターレンチを内部に挿入可能な容器を備えており、かかる容器内にカップ式オイルフィルターレンチの下面に形成された嵌合穴に挿入され回転力を伝達する突起部を備えている。これにより、工具でオイルフィルターを回転させる際に、当該オイルフィルターの下端側が容器に収容された状態になるため、オイルが漏れた場合であっても容器で受け止めることができ、作業者にオイルがかかることを抑制することができる。
【先行技術文献】
【特許文献】
【０００６】
【特許文献１】特開２０１０−１９２０６号公報
【発明の概要】
【発明が解決しようとする課題】
【０００７】
しかしながら、上述したオイルフィルター交換用工具では、カップ式オイルフィルターレンチを回転させる際に、当該レンチを容器内に収容させる必要がある。このため、オイルフィルターの周囲に容器を配置させるスペースが必要となるため、オイルフィルターの周囲の構造によっては利用できず、汎用性が低いという問題が生じる。
【０００８】
一方で、オイルフィルターの周囲のスペースが狭い構造にも対応すべく、容器の外形を小さくした場合には、漏れたオイルを容器で受け止めることができない場合もある。この場合には、作業者の作業効率が低下する、という問題が生じる。
【０００９】
また、上述したようにオイルフィルターを取り外した後には、新しいオイルフィルターの取り付けや新しいエンジンオイルの給油など、さらなる作業が継続する。ところが、特許文献１に開示の構造の工具を用いた場合には、取り外したオイルフィルター及び容器で受け付けた廃油を、廃油受け等の適切な場所に運ぶ必要がある。すると、そのままオイルフィルターの交換作業を継続することができず、作業者の作業効率が低下する、という問題が生じる。
【００１０】
このため、本発明の目的は、上述した課題である、汎用性が低いこと、作業者の手や衣服等が汚れること、さらには、作業効率の低下、という問題を解決することができるオイルフィルター用工具を提供することにある。
【課題を解決するための手段】
【００１１】
本発明の一形態であるオイルフィルター用工具は、
オイルフィルターの端部に装着されるカップ型オイルフィルターレンチの外形よりも大きい開口部を有する容器と、
前記容器内から当該容器の前記開口部よりも上方に突出するよう延び、その突出端に前記カップ型オイルフィルターレンチを回転させるよう当該カップ型オイルフィルターレンチに連結される連結部を有する軸部材と、
前記容器の下方に設けられ、前記軸部材と連結して当該軸部材を回転させるよう操作可能なハンドル部と、
を備えた、
という構成をとる。
【００１２】
また、上記オイルフィルター用工具では、
前記軸部材と前記ハンドル部とは、当該ハンドル部の回転を前記軸部材に伝達するよう連結しており、
前記軸部材は、前記容器に対して回転可能に装備されている、
という構成をとる。
【００１３】
また、上記オイルフィルター用工具では、
前記容器内から上方に延び、前記軸部材が内部に挿通されて当該軸部材の周囲を囲うと共に、当該軸部材の前記連結部を上端から突出させる筒状の軸パイプと、
前記軸パイプの上端に、前記軸部材の前記連結部を上方に突出させると共に、前記軸パイプと前記軸部材との隙間を塞ぐよう装備されるパイプカバーと、を備えた、
という構成をとる。
【００１４】
また、上記オイルフィルター用工具では、
前記軸部材は、前記容器を貫通して当該容器の下方側にも延びて形成され、
前記容器と前記ハンドル部との間に、前記軸部材の外周から外側に向かって突出して、前記容器の底面の外表面に対向する面を形成する突出面を備えた、
という構成をとる。
【００１５】
また、上記オイルフィルター用工具では、
前記ハンドル部は、前記軸部材に対して非平行に延びる少なくとも２本のレバー部を備えた、
という構成をとる。
【００１６】
また、上記オイルフィルター用工具では、
前記ハンドル部は、前記容器の前記開口部が形成する開口面が水平状態となるよう所定の水平面に対して前記オイルフィルター用工具自体を立てて支持するスタンド部を備えた、
という構成をとる。
【００１７】
また、上記オイルフィルター用工具では、
前記容器の外側面に取っ手を設けた、
という構成をとる。
【発明の効果】
【００１８】
上記構成のオイルフィルター用工具によると、汎用性が高く、作業者の手や衣服等の汚れを抑制し、作業効率の向上を図ることができる。
【図面の簡単な説明】
【００１９】
【図１Ａ】本発明の実施形態１におけるオイルフィルター用工具の構成を示す図である。
【図１Ｂ】図１Ａに開示したオイルフィルター用工具の構成を示す断面図である。
【図２】図１Ａに開示したオイルフィルター用工具の使用時の様子を示す図である。
【図３Ａ】図１Ａに開示したオイルフィルター用工具の使用時の様子を示す図である。
【図３Ｂ】図１Ａに開示したオイルフィルター用工具の使用時の様子を示す図である。
【図４】本発明の実施形態２におけるオイルフィルター用工具の構成を示す図である。
【図５】図４に開示したオイルフィルター用工具の使用時の様子を示す図である。
【図６】図４に開示したオイルフィルター用工具の使用時の様子を示す図である。
【発明を実施するための形態】
【００２０】
＜実施形態１＞
本発明の第１の実施形態を、図１Ａ乃至図３Ｂを参照して説明する。図１Ａ，図１Ｂは、オイルフィルター用工具の構成を示す図であり、図２乃至図３Ｂは、オイルフィルター用工具の使用時の様子を示す図である。
【００２１】
本発明の実施形態１におけるオイルフィルター用工具は、エンジンルーム内のエンジンブロックに装着されたオイルフィルターを着脱する際に使用する工具である。特に、本実施形態のオイルフィルター用工具は、図３Ａに示すように、円筒形状のオイルフィルター５１が、その長手方向が上下方向に位置してエンジンブロック５２に垂直状態で螺合されている場合に、当該オイルフィルター５１を着脱することに使用する工具である。
なお、以下では、図の紙面における上下方向を、オイルフィルター用工具の上下方向として説明する。
【００２２】
図１Ａ及び図１Ｂに示すように、オイルフィルター用工具は、略半円球状の容器１と、当該容器１に装備され上下方向に延びる軸パイプ１１と、当該軸パイプ１１の内部に挿通される軸部材３１と、当該軸部材３１の下端に装備されたハンドル部３と、を備えている。そして、軸部材３１は、図３Ａに示すように、円筒形状のオイルフィルター５１の下端に嵌合して装着されるカップ型オイルフィルターレンチ５に、軸部材３１の上端（突出端）が連結されるものである。以下、各構成について詳述する
【００２３】
上記容器１は、上方側に円形状の開口部１ａを有し、下方側が略半円球状の収容体を形成している。開口部１ａは、図３Ａに示すように、オイルフィルター５１及びカップ型オイルフィルターレンチ５の外形よりも広く形成されている。つまり、開口部１ａの直径は、略円筒形状であるオイルフィルター５１及びカップ型オイルフィルターレンチ５の外径よりも大きく形成されている。なお、容器１の下方側である底面は、図１Ｂに示すように、やや平坦に形成されている。但し、容器１の形状は半円球状であることに限定されず、いかなる形状であってもよい。
【００２４】
上記軸パイプ１１は、図１Ｂの断面図に示すように、容器１と一体的に構成されている。軸パイプ１１は、所定の長さの筒状部材であり、内部に軸部材３１が挿通される。つまり、軸パイプ１１は、軸部材３１の周囲を囲うよう配置される。そして、軸パイプ１１は、容器１の中心部に配置され、上下方向に延びるよう構成されている。具体的に、軸パイプ１１は、下方側で容器１の底面の中心部を貫通しており、かかる貫通箇所で溶接などにより隙間なく容器１に連結している。そして、軸パイプ１１は、下方側では容器１の底面の外表面からわずかに突出するよう延びており、上方側では容器１の開口部１ａよりも上方に位置するよう延びている。
【００２５】
上記軸部材３１は、所定の長さを有する棒状体であり、容器１の中心部に配置され、上下方向に延びるよう構成されている。具体的に、軸部材３１は、図１Ｂの断面図に示すように、その下端においてハンドル部３に連結されており、それよりも上方側は、上述した軸パイプ１１の内部に挿通されている。このため、軸部材３１は、軸パイプ１１に周囲を囲まれた状態で容器１の底面箇所を貫通しており、容器１の中心部にて当該容器１とは別に単独で回転可能である。つまり、軸部材３１は、ハンドル部３の回転が伝達されることで、容器１とは別に回転する。
【００２６】
また、軸部材３１の下端付近に位置する容器１とハンドル部３との間には、円板３２が設けられている。この円板３２は、軸部材３１の外周から外側に向かって突出する面（突出面）を形成しており、容器１の底面の外表面に対向している。このため、容器１の底面の外表面と円板３２との間に物体を挟み込むことができ、後述する図３Ｂに示すように、廃油を収容する容器体２００の壁面の端部を挟み込むことができる。
【００２７】
また、軸部材３１は、少なくとも上端部分が容器１の開口部１ａよりも上方に突出する長さに形成されている。具体的には、軸部材３１が軸パイプ１１に挿通された状態で、軸部材３１の上端部分が軸パイプ１１の上端からさらに突出する長さに形成されている。そして、軸パイプ１１の上端から突出する軸部材３１の上端（突出端）には、カップ型オイルフィルターレンチ５の下端に設けられたレンチ側連結部５ａの下面に形成された嵌合穴に嵌合挿入され連結される連結部３１ａが形成されている。
【００２８】
さらに、軸部材３１の連結部３１ａの下方箇所には、軸パイプ１１の上端に被さるパイプカバー１２が装着される。パイプカバー１２は、軸パイプ１１の上端箇所が挿通される円筒形状部を有しており、かかる円筒形状部の上端に中央部分が貫通し円環形状の平板部１２ａが形成されている。かかるパイプカバー１２の円筒形状部に、軸部材３１の上端及び軸パイプ１１の上端を挿通させることで、軸部材３１の連結部３１ａがパイプカバー１２の上端からさらに突出された状態となる。このとき、軸パイプ１１の上端部分は、パイプカバー１２の平板部１２ａで塞がれる。そして、さらにパイプカバー１２の平板部１２ａの貫通孔周囲と軸部材３１の連結部３１ａの下方付近の外周とを溶接などにより塞ぐことで、軸部材３１と軸パイプ１１との隙間が完全にふさがれることとなる。これにより、オイルフィルター交換時に軸部材３１と軸パイプ１１との隙間からのオイルの侵入を防ぐことができる。なお、パイプカバー１２の平板部１２ａは、軸部材３１の突出端から作業者を保護する機能を有する。
【００２９】
上記ハンドル部３は、上述したように軸パイプ１１の内部に挿通された軸部材３１の下端に連結しており、当該軸部材３１の軸方向に対して直交する方向に延びるレバーにて構成されている。具体的に、本実施形態では、垂直方向に延びる軸部材３１の下端に、水平方向に延びる１本の棒状部材が、直交して連結していることで、かかる棒状部材によって軸部材３１を挟んで相互に反対方向に延びる２本のレバーからなるハンドル部３が構成されている。これにより、ハンドル部３を操作者が把持して回転させることで、当該ハンドル部３に連結している軸部材３１を、軸パイプ１１に挿通された状態で回転させることができる。但し、ハンドル部３を構成するレバーは、必ずしも軸部材３１に対して直交して延びるよう設けられることに限定されず、垂直方向に延びる軸部材３１に対して平行ではない方向（非平行）に延びるよう設けられていてもよい。
【００３０】
また、ハンドル部３は、上記レバーの下部に、さらにオイルフィルター用工具自体を立てて支持することができるスタンド部３０を備えている。本実施形態におけるスタンド部３０は、円環状部材にて構成されており、当該円環状部材にて形成される面が、上述した軸部材３１軸方向に対して直交し、上述した容器１の開口面１ａと平行となるよう形成されている。これにより、図２に示すように、水平面を形成する基台Ｇにスタンド部３０の底面を当接させてオイルフィルター用工具自体を載置したときには、容器１の開口部１ａが水平状態となるようオイルフィルター用工具を立てた状態で支持することができる。
【００３１】
次に、上述した構成のオイルフィルター用工具の使用時の様子を説明する。まず、図２に示すように、カップ型オイルフィルターレンチ５の下面に形成された嵌合穴に軸部材３１の連結部３１ａを挿入して、先端にカップ型オイルフィルターレンチ５を連結させた状態とする。そして、図３Ａに示すように、エンジンブロック５２に装着されたオイルフィルター５１の下端に、オイルフィルター用工具の先端に連結されたカップ型オイルフィルターレンチ５を嵌め込む。なお、カップ型オイルフィルターレンチ５を先にオイルフィルター５１の下端に嵌め込み、その後、カップ型オイルフィルターレンチ５の下面に、オイルフィルター用工具の軸部材３１の先端に設けられた連結部３１ａを連結してもよい。
【００３２】
そして、作業者は、図３Ａに示す状態で、容器１を保持しつつ、ハンドル部３のレバーを回転させる。すると、容器１は作業者によって保持されているため回転せず、ハンドル部３の回転に連動して軸パイプ１１の内部で軸部材３１が回転し、かかる回転力がカップ型オイルフィルターレンチ５に伝達される。これにより、カップ型オイルフィルターレンチ５に嵌め込まれたオイルフィルター５１がエンジンブロック５２に対して回転し、当該オイルフィルター５１のエンジンブロック５２に対する螺合状態を安定して緩めることができる。このため、オイルフィルター５１の螺合を解いた直後にさらに漏れるオイルを抑制しながら、容器１にオイルを回収することができる。
【００３３】
このとき、上方から流下または落下することにより、周囲に飛散しやすくなったオイルは、容器１が半球型であることから、容器１に流下または落下したオイルは容器１の中心に向かって跳ね返り、飛散しても容器１の外部にオイルが飛び出ることを抑制できる。また、軸パイプ１１の上端はパイプカバー１２の平板部１２ａやパイプカバー１２と軸部材３１との溶接によって塞がれており、また、軸パイプ１１も容器１と溶接などにより一体的に構成されているため、軸パイプ１１や軸部材３１を伝ってオイルが容器１の下方に漏れることを抑制することができる。その結果、オイルフィルター５１の取り外し時に、作業者にオイルがかかることを抑制することができ、作業の円滑化を図ることができる。
【００３４】
そして、上記オイルフィルター用工具では、軸部材３１の先端が容器１の開口面１ａよりも上方に突出しているため、かかる容器１の開口面１ａよりも上方でカップ型オイルフィルターレンチ５と連結できる。このため、図３Ａに示すように、仮にオイルフィルター５１の周囲に近接してオイルパン５３などの他の構成部品が配置されていて、オイルフィルター周囲の空きスペースが狭いような場合であっても、確実に作業を行うことができる。その結果、様々なエンジン構造にも対応でき、汎用性の向上を図ることができる。
【００３５】
さらに、上記オイルフィルター用工具では、下端にスタンド部３０を設けているため、オイルフィルター５１を取り外した後のオイルフィルター用工具を、図２に示すように立てておくことができる。これにより、漏れたオイルを容器１で受け止め、オイルフィルター５１を取り外した直後に廃油受け等のある場所に移動する必要が無く、オイルフィルター用工具ごと作業場所付近に置いておくことができる。そして、外したオイルフィルター５１は、容器１内部に収容可能であり、収容することによって新しいオイルフィルターの締め付け作業を継続して行うことが可能となる。その結果、作業効率のさらなる向上を図ることができる。
【００３６】
また、作業後にオイルフィルター用工具の容器１内のオイルを廃棄する際には、図３Ｂに示すように、オイルフィルター用工具自体を横向きにし、容器１の底面の外表面と円板３２との間に、廃油を収容する容器体２００の壁面の端部を挟み込む。これにより、容器１の開口部が容器体２００の内部に向かうような状態で、当該容器体２００の側壁にオイルフィルター用工具を引っかけておくことができる。その結果、オイルフィルターを取り外した後に容器１内に収容されたオイルを容易に廃棄することができ、作業効率のさらなる向上を図ることができる。そして、その後の作業時にオイルフィルター用工具を垂直に戻した際にも、容器１の外側面がオイルで汚れることを抑制できる。
【００３７】
＜実施形態２＞
本発明の第２の実施形態を、図４乃至図６を参照して説明する。図４は、オイルフィルター用工具の構成を示す図であり、図５乃至図６は、オイルフィルター用工具の使用時の様子を示す図である。
【００３８】
本実施形態におけるオイルフィルター用工具は、上述した実施形態１のものとほぼ同様用の構成を有しているが、いくつかの点で構成が異なる。以下、主に異なる構成について説明する。
【００３９】
図４に示すように、本実施形態におけるオイルフィルター用工具は、実施形態１と同様に、容器１０１と、当該容器１０１に装備された軸パイプ１０２と、当該軸パイプ１０２の内部を上下方向に貫通し上端に連結部１２１が形成された軸部材（図示せず）と、当該軸部材の下端に装備されたハンドル部１０３と、を備えている。そして、軸部材の上端に形成された連結部１２１は、図５に示すように、円筒形状のオイルフィルターの下端に嵌合して装着されるカップ型オイルフィルターレンチ１０５に連結されるものである。
【００４０】
本実施形態におけるハンドル部１０３は、軸部材の下端から所定方向に広がって延びる３本のレバーにて構成されている。これら３本のレバーは、それぞれ軸部材の軸方向に対して平行ではない方向に延びており、作業者はかかるレバーを把持して容易に回転させることができる。また、ハンドル部１０３は、３本のレバーのそれぞれが広がるよう延びているため、スタンド部としても機能する。つまり、図５に示すように、３本のレバーにより、容器１０１の開口面が水平状態となるようオイルフィルター用工具自体を立てて支持することができる。なお、レバーの数は３本であることに限定されず、いかなる本数であってもよい。
【００４１】
また、本実施形態における容器１０１は、外側面に取っ手１０４を備えている。取っ手１０４は、容器１の外側面から突出する棒状部材にて構成されており、曲折して形成されている。これにより、作業者は取っ手１０４を把持することで、オイルフィルター用工具自体を容易に持ち運びできる。また、作業者は、オイルフィルターの着脱時に容器１０１を固定してハンドル部１０３を回転させることで、安定して軸部材を回転させることができる。その結果、作業効率のさらなる向上を図ることができる。
【００４２】
さらに、本実施形態における容器１０１の取っ手１０４には、図５に示すように、２つの突起部１４１，１４２が設けられている。具体的には、取っ手１０４の付け根箇所と、取っ手１０４の曲折箇所とに、それぞれ斜め上方に延びる突起部１４１，１４２が設けられている。これら突起部１４１，１４２は、所定の間隔を空けてほぼ平行に延びるよう設けられているため、これらの間に物体を挟み込むことができる。例えば、本実施形態では、図６に示すように、突起部１４１，１４２の間に、廃油を収容する容器体２００の壁面の端部を挟み込むことができる。これにより、容器１０１の開口部が容器体２００の内部に向かうような状態で、当該容器体２００の側壁にオイルフィルター用工具を引っかけておくことができる。つまり、次回の作業までオイルフィルター用工具を傾けた状態にしておくことで、オイルフィルター用工具を垂直に戻したときに生じる容器１０１の外側面へのオイルによる汚れを抑制することができる。
【００４３】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４４】
１  容器
１ａ  開口部
１１  軸パイプ
１２  パイプカバー
１２ａ  平板
３  ハンドル部
３０  スタンド部
３１  軸部材
３１ａ  連結部
３２  円板
５  カップ型オイルフィルターレンチ
５ａ  レンチ側連結部
５１  オイルフィルター
５２  エンジンブロック
５３  オイルパン
１０１  容器
１０２  軸パイプ
１２１  連結部
１０３  ハンドル部
１０４  取っ手
１４１，１４２  突起部
１０５  カップ型オイルフィルターレンチ
２００  容器体
【図１Ａ】
2019210839.tif 000003
【図１Ｂ】
2019210839.tif 000004
【図２】
2019210839.tif 000005
【図３Ａ】
2019210839.tif 000006
【図３Ｂ】
2019210839.tif 000007
【図４】
2019210839.tif 000008
【図５】
2019210839.tif 000009
【図６】
2019210839.tif 000010